(57)【要約】【課題】  簡単な操作で次番組表を表示させ、予約操作も簡単にできるテレビ番組表表示装置を提供する。【解決手段】  制御部２１は、リモコン２６あるいは操作入力部２５の方向指示キーが押下されたかを確認し、方向指示キーが押下されていれば、その方向が上下かを確認する。方向指示キーの押されたキーが上下でない場合、制御部２１は押下されたキーが左右かを確認する。押下されたキーが左右であれば、各チャンネルで現在放送中の番組の次の番組表（次番組表）をカーソルを重ねた状態で表示処理を行う制御部２１は、ユーザが決定キーを押下したのを確認した場合、選択番組の予約処理を行う。【選択図】図１
2006108929.tif 000002
【特許請求の範囲】
【請求項１】
番組表データが重畳された受信放送信号から抽出した番組表データをデコードするデコーダと、
ユーザの操作に応じて、各チャンネル毎に現在放送されている番組に関する現在番組表と、番組表に表示された番組のうち一つを選択するためのカーソルとを表示する表示手段と、
前記現在番組表から１つの番組がカーソルによって選択されると該当する番組の選局処理を行う制御手段とを備えたテレビ番組表表示装置において、
前記制御手段は、前記現在番組表を表示した状態において、カーソルを選択する以外のユーザの操作を行うことにより、現在放送中の番組の次番組をチャンネル毎に次番組表としてカーソルを加えて前記表示手段に表示させ、この次番組表から1つの番組がカーソルによって選択されると該当する番組の予約処理を行うことを特徴とするテレビ番組表表示装置。
【発明の詳細な説明】
【技術分野】
【０００１】
本発明は、テレビ放送の番組を表示するとともに、番組表も表示し予約処理を行うテレビ番組表表示装置に関する。
【背景技術】
【０００２】
近年、デジタルテレビ放送に関する技術が確立し、衛星放送や地上波放送においてもデジタル化が進んでいる。番組チャネル数は飛躍的に増加し、多チャンネル化の時代に入った。
【０００３】
以前は、新聞や雑誌のテレビ番組表から、録画する番組を探索して、録画再生装置（例えば、ＤＶＤレコーダー）の録画予約を行うのが一般的であったが、デジタル放送になってデータ伝送も可能となり、番組に関する画像や音声のデータを送信するだけでなく、テレビ番組情報もＥＰＧ（Electric Program Guide）として送信することが可能となった。そのため、画面にＥＰＧによるテレビ番組表を表示させて、それをもとにユーザが録画予約を行えるようになった（例えば、特許文献１参照）。
【特許文献１】特開２００４−１４７２３５号公報
【発明の開示】
【発明が解決しようとする課題】
【０００４】
しかしながら、テレビ番組表を表示させて、録画予約を行うにしても、ユーザが予約操作を行う必要があり、操作が煩雑であった。また、携帯用テレビジョン装置等のように画面が小さければ、テレビ番組表を表示できる範囲が少なく、次の番組を知りたい場合も、煩雑な操作を要求されることになる。
【０００５】
本発明は、斯かる実情に鑑み、簡単な操作で次番組表を表示させ、予約操作も簡単にできるテレビ番組表表示装置を提供しようとするものである。
【課題を解決するための手段】
【０００６】
本発明は、番組表データが重畳された受信放送信号から抽出した番組表データをデコードするデコーダと、ユーザの操作に応じて、各チャンネル毎に現在放送されている番組に関する現在番組表と、番組表に表示された番組のうち一つを選択するためのカーソルとを表示する表示手段と、前記現在番組表から１つの番組がカーソルによって選択されると該当する番組の選局処理を行う制御手段とを備えたテレビ番組表表示装置において、前記制御手段は、前記現在番組表を表示した状態において、カーソルを選択する以外のユーザの操作を行うことにより、現在放送中の番組の次番組をチャンネル毎に次番組表としてカーソルを加えて前記表示手段に表示させ、この次番組表から1つの番組がカーソルによって選択されると該当する番組の予約処理を行うことを特徴とする。
【発明の効果】
【０００７】
本発明によれば、番組表データに基づいて、次番組表を表示させ、それを選択することにより、予約処理を行うので、ユーザに多くの操作過程を要求することなく容易に選局することが可能になる。
【発明を実施するための最良の形態】
【０００８】
以下、本発明の実施の形態を添付図面を参照して説明する。
図１は本発明に係るテレビジョン装置の一実施形態を示すブロック図である。このテレビジョン装置は持ち運び可能な携帯用テレビジョン装置を想定しているが、通常の備え付けタイプのテレビジョン装置であっても構わない。
【０００９】
テレビジョン装置１０は、アンテナ１１と、チューナ１２と、Ａ／Ｄ変換器１３と、デコーダ１４と、Ｄ／Ａ変換器（音声データ用）１５と、スピーカ１６と、セレクタ１７と、Ｄ／Ａ変換器（映像データ用）１８と、ディスプレイ１９と、制御部２１と、ＯＳＤコントローラ２２と、メモリ２３と、リモコン２６の受光部２４と、操作入力部２５とから構成される。制御部２１は、ＣＰＵ２１ａと、メモリ２１ｂとからなる。制御部２１は、ＣＰＵ２１ａと、メモリ２１ｂとからなる。メモリ２３は、カード式メモリで着脱自在のものでもよいし、固定式のものでもよい。
【００１０】
操作入力部２５やリモコン２６には、操作キーが備えられているが、それは次のようなものである。
（ａ）番組表キー：各チャンネル毎に番組を放送順に表示するためのキー
（ｂ）裏番組表キー：各チャンネル毎に現在放送中の番組を表示するためのキー
（ｃ）方向指示キー：カーソルの移動操作するキー（上下左右の方向）
（ｄ）決定キー：カーソルの項目を選択決定するためのキー
【００１１】
次に、テレビジョン装置の動作を説明する。
ユーザがリモコン２６あるいは操作入力部２５によりチャンネルを選択する。リモコン２６の場合はチャンネル指定の信号を赤外線信号として受光部２４で受け、制御部２１のメモリ２１ｂに格納される。操作入力部２５の場合は、直接制御部２１のメモリ２１ｂに格納される。ＣＰＵ２１ａは、メモリ２１ｂに格納されているチャンネル指定信号に従ってチューナ１２を制御し、アンテナ１１で受信した信号から目的のチャンネルを選局する。得られた信号をＡ／Ｄ変換器１３でアナログからデジタルへ変換し、デコーダ１４により復号する。このとき、音声信号は音声デコーダ、ＥＰＧ信号はＥＰＧデコーダ、映像信号は映像デコーダにより処理する。復号化された音声信号は、Ｄ／Ａ変換器１５によりアナログ信号に変換されてスピーカ１６から音声として出力される。復号化された映像信号は、Ｄ／Ａ変換器１６によりアナログ信号に変換されてディスプレイ１９に表示される。
【００１２】
復号化されたＥＰＧ信号は、メモリ２３に記憶される。ユーザがリモコン２６あるいは操作入力部２５により、テレビ番組表を表示させるキーを押した場合、ＣＰＵ２１ａがメモリ２３に格納されているＥＰＧデータから目的のテレビ番組表を選択し、ＯＳＤコントローラ２２によりディスプレイ１９に重ね表示させるデータを発生させ、セレクタ１７によりディスプレイ１９に送出する。
【００１３】
ここで、テレビ番組表は、現在時刻の番組表、現在選択しているチャンネル以外のいわゆる裏番組表、現番組の次の番組を示す次番組表等がある。これらの番組表はユーザがリモコン２６や操作入力部２５を用いて選択する。
【００１４】
次に、テレビジョン装置の番組予約について説明する。
図２は、テレビジョン装置の番組予約処理を示すフローチャートである。図３は、番組予約におけるテレビ番組表の例を示す図である。
【００１５】
制御部２１は、ユーザがリモコン２６あるいは操作入力部２５からディスプレイ１９に裏番組表の表示指示を行ったかを確認する（ステップＳ１）。裏番組表の表示指示があれば、現在放送中の番組表（裏番組表）に関するＥＰＧデータをメモリ２３からＯＳＤコントローラ２２に読み出させる。そして、ＯＳＤコントローラ２２は、図３（ａ）に示すように、読み出しデータと、カーソルを現在表示中の番組に位置したカーソルを現在表示中の番組に位置した状態で表示させるデータを作成する（ステップＳ２）。制御部２１は、セレクタ１７によりＯＳＤコントローラ２２をＤ／Ａ変換器１８に接続してディスプレイ１９に裏番組表を表示させる。
【００１６】
このときテレビジョン装置は、携帯用であるため表示画面が小さく、テレビ番組表を表示できる範囲が小さい。そこで、図３に示すように、番組表を小さい表示画面でも表示できるサイズにし、現番組表（図３（ａ））と次番組表（図３（ｂ））を切り換えて表示できるようにしている。ユーザは、表示画面に合わせた番組表を見ることができるので、操作がし易くなる。なお、携帯用でなくとも、画面表示部のサイズが小さいテレビジョン装置でも同様に、ユーザの操作性を考えた番組表を表示することができる。
【００１７】
制御部２１は、リモコン２６あるいは操作入力部２５の方向指示キーが押下されたかを確認する（ステップＳ３）。方向指示キーが押下されていれば、その方向が上下かを確認する（ステップＳ４）。ここで、図３に示すように、上下方向はチャンネルを選択する方向である。上下キーであれば、その指示に従って裏番組表の表示内でのカーソル移動処理を行う（ステップＳ５）。すなわち、制御部２１は、ＯＳＤコントローラ２２に対しカーソルの移動表示の処理をさせる。制御部２１は、ユーザが決定キーを押下したのを確認した場合（ステップＳ６）、選択番組の選択処理を行う。
【００１８】
ステップＳ４において、方向指示キーの押されたキーが上下でない場合、制御部２１は押下されたキーが左右かを確認する（ステップＳ８）。ここで、図３に示すように、左右方向は、チャンネル選択方向ではない。左右キーではない場合、ステップＳ３に戻る。押下されたキーが左右であれば、各チャンネルで現在放送中の番組の次の番組表（次番組表）をカーソルを重ねた状態で表示処理を行う（ステップＳ９）。すなわち、制御部２１は、ＯＳＤコントローラ２２にメモリ２２から次番組データを読み出させ、カーソルを重ねた状態で表示データを作成させる。制御部２１は、ユーザが決定キーを押下したのを確認した場合（ステップＳ１０）、選択番組の予約処理を行ない、メッセージボックスに「予約設定しました」との表示をさせるようにＯＳＤコントローラ２２に指示する。
【００１９】
こうして、制御部２１が次番組表を表示させ、それを選択することにより、予約処理を行うので、ユーザに多くの操作過程を要求することなく容易に選局することが可能になる。
【図面の簡単な説明】
【００２０】
【図１】本発明に係るテレビジョン装置の一例を示すブロック図である。
【図２】テレビジョン装置の番組予約処理を示すフローチャートである。
【図３】番組予約におけるテレビ番組表の例を示す図である。
【符号の説明】
【００２１】
１０  テレビジョン装置
１１  アンテナ
１２  チューナ
１３  Ａ／Ｄ変換器
１４  デコーダ
１５，１８  Ｄ／Ａ変換器
１６  スピーカ
１７  セレクタ
１９  ディスプレイ
２１  制御部
２１ａ  ＣＰＵ
２１ｂ  メモリ
２２  ＯＳＤコントローラ
２３  メモリ
２４  受光部
２５  操作入力部
２６  リモコン
【図１】
2006108929.tif 000003
【図２】
2006108929.tif 000004
【図３】
2006108929.tif 000005